(57)【特許請求の範囲】
【請求項１】
構成要素Ｂを構成要素Ａに固定するための、構成要素Ｂと構成要素Ａ間の間隔（Ｓ）の公差を自動的に補償する機能を有する締結機構であって、
ａ．収容要素（１０）と調整要素（２０，３０）とを備え、調整要素（２０，３０）が、第１のピッチ方向を有する第１のねじ対（１２，３２）を介して収容要素（１０）にねじ込むことができ、
ｂ．収容要素（１０）と調整要素（２０，３０）の開口に固定ねじ（４０）を挿入することができ、固定ねじを、第１のピッチ方向と反対の第２のピッチ方向の第２のねじ対（４２，５２）を介して収容要素（１０）にねじ込み、そして解放可能なつれ回り接続部（２４）によって調整要素（２０，３０）に接続して、固定ねじ（４０）を回転させる際に調整要素（２０，３０）を同時回転させ、それにより調整要素（２０，３０）を移動させて構成要素Ｂと接触させるようにし、
ｃ．締結機構の調整要素（２０，３０）は、ねじ要素（３０）とつれ回り要素（２０）とを有し、このつれ回り要素（２０）は、ねじ要素（３０）内において回転方向に固定されて配置され、ねじ要素（３０）に対して横方向に動かすことができ及び／又はその軸を傾けることができ、それにより、調整要素（２０，３０）に挿入する際の固定ねじ（４０）の位置ずれを補償することができる締結機構。
【請求項２】
ねじ要素（３０）の内側チャネル（３６）が、つれ回り要素（２０）を取り囲み、それにより、つれ回り要素（２０）を、ねじ要素（３０）内で横方向に、詳細にはねじ要素（３０）に対して半径方向に動かすことができ、及び／又はねじ要素（３０）の内側チャネルが、その軸方向に沿って少なくとも部分的にテーパ付けされ、それによりつれ回り要素（２０）を、ねじ要素（３０）内でねじ要素（３０）の長手軸に対してその軸を傾けて配置することができる、請求項１に記載の締結機構。
【請求項３】
つれ回り要素（２０）が、ねじ要素（３０）のくぼみ（３４）内に係止できることができる半径方向に突出する少なくとも１個の保持ラグ（２２）を有する、請求項１又は２に記載の締結機構。
【請求項４】
つれ回り要素（２０）が、楕円形移送ロック（２６）を有し、その半径方向外方に突出する少なくとも１個の突出部（２８）を、収容要素（１０）の内側にロックすることができる、請求項１〜３のいずれか１項に記載の締結機構。
【請求項５】
楕円形移送ロック（２６）は、固定ねじ（４０）が楕円形移送ロック（２６）を通過する際に、移送ロック（２６）の半径方向内方への変形運動によって、半径方向外方に延在する少なくとも１個の突出部（２８）をロック解除できるように構成された、請求項４に記載の締結機構。
【請求項６】
つれ回り要素（２０）は、互いに反対側に配置され且つつれ回り要素（２０）の軸方向に延在する２個のつれ回り帯状部（２４）を有し、２個のつれ回り帯状部（２４）は、半径方向内方に弾性的に突出し、固定ねじ（４０）用の貫通孔を狭める、請求項１〜５のいずれか１項に記載の締結機構。
【請求項７】
つれ回り帯状部（２４）は、円弧状に構成され、楕円形移送ロック（２６）をつれ回り要素（２０）の支持部分（２９）に接続する、請求項６に記載の締結機構。
【請求項８】
収容要素（１０）は、固定ねじ（４０）に適応されたねじ（５２）を有するナット（５０）を挿入することができる保持室（１６）を有する、請求項１〜７のいずれか１項に記載の締結機構。
【請求項９】
固定ねじ（４０）とナット（５０）を有する、請求項１〜８のいずれか１項に記載の締結機構。
【請求項１０】
ナット（５０）と固定ねじ（４０）がそれぞれ互いに適応されたメートルねじを有する、請求項９に記載の締結機構。
【請求項１１】
請求項１〜１１のいずれか１項に記載の締結機構と組み合わされた構成要素Ａであって、構成要素Ａがキーホール（９０）を有し、このキーホール（９０）内に締結機構の収容要素（１０）を固定できる、請求項１〜１０のいずれか１項に記載の締結機構と組み合わされた構成要素Ａ。
【発明の詳細な説明】
【技術分野】
【０００１】
本発明は、構成要素Ａに構成要素Ｂを固定するための締結機構であって、２構成要素間の間隔公差を自動的に補償する機能を有する締結機構に関する。
【背景技術】
【０００２】
公差補償機能を有する様々な締結機構が知られている。そのような機構は、一般に、固定ねじに対する摩擦係合接続を形成することができるいわゆるつれ回り部分を有する調整ブッシュから成る。固定ねじを回転させると、調整ブッシュも２構成要素の一方に当たるまで回転され、固定ねじを更に回転させると、それに対応してトルクが増大して摩擦係合接続に打ち勝ち、それにより、２構成要素を調整ブッシュを介して固定ねじによって互いに固定することができる。
【０００３】
そのような公差補償機構は、特許文献１から知られている。この機構は、一体形成された収容要素と一体形成された調整要素を含む。収容要素は、ねじ接続を作成するために一方の構成要素にねじ込むことができるセルフタッピング及び／又は自己形成ねじを有する固定部分を有し、このねじ接続は、プラスチック・イン・プラスチックのねじ接続である。
【先行技術文献】
【特許文献】
【０００４】
【特許文献１】欧州特許第１７８０４２４号
【発明の概要】
【発明が解決しようとする課題】
【０００５】
本発明の目的は、締結機構の組み立てを単純化する特定タイプの自動公差補償機構を有する締結機構を更に開発することである。
【課題を解決するための手段】
【０００６】
本発明による締結機構は、請求項１に定義される。更に、本発明は、請求項１３に記載の締結機構の収容要素を挿入し固定する方法と、請求項１４に記載の構成要素から収容要素を取り外す方法とに関する。
【０００７】
締結機構は、構成要素Ｂを構成要素Ａに固定する働きをし構成要素Ｂと構成要素Ａの間隔の公差を自動的に補償する機能を備える。本発明による締結機構は次の特徴を有する。即ち、収容要素と調整要素を有し、調整要素は、第１のピッチ方向を有する第１のねじ対を介して収容要素にねじ込むことができ、更に、固定ねじを、収容要素と調整要素の開口に挿入し、第１の方向と反対の第２のピッチ方向の第２のねじ対を介して収容要素にねじ込み、また解放可能なつれ回り（drag）接続部によって調整要素に接続して、固定ねじの回転中に調整要素を同時回転させ、それにより調整要素を移動させて構成要素Ｂと接触させるようにし、締結機構の調整要素は、ねじ要素とつれ回り要素とを含み、このつれ回り要素は、ねじ要素内において回転方向に固定されて配置されており、ねじ要素（３０）に対して横方向に動かすことができ及び／又はその軸を傾けることができ、それにより調整要素への挿入中における固定ねじの位置ずれを補償できる。
【０００８】
本発明による締結機構内の調整要素は、２個の部品で構成される。ねじ要素とつれ回り要素から成るこの２体式の構成は、固定ねじを締結機構に挿入する際の組立誤差を確実に補償する。つれ回り要素がねじ要素内に浮動状態で配置されるので、これにより、ねじ要素内でその長手軸に対して半径方向と横方向の補償運動が可能になる。ねじ要素とつれ回り要素の対応する設計によって、ねじ要素内でつれ回り要素が傾斜補償運動を行なうことができることが好ましい。即ち、つれ回り要素の長手軸が、ねじ要素の長手軸に対して非平行の傾斜した位置をとることができる。この構造により、固定ねじの向きが不正確であっても、締結機構内で動かなくなることなく固定ねじを締結機構に挿入することができる。更に、つれ回り要素が、ねじ要素内の固定ねじの不正確な向きに追従できるので、固定ねじの向きが不正確なことによって締結機構による公差補償に影響を及ぼすことはない。従って、固定ねじを回転させる際に、つれ回り要素は構成要素Ｂまで前進させられる。
【０００９】
締結機構の好ましい設計によれば、ねじ要素の内側チャネルは、つれ回り要素が、ねじ要素内で横方向、詳細にはねじ要素に対して半径方向に変位できるようにつれ回り要素を収容する。それに加え又はそれに替えて、ねじ要素の長手軸に対して軸が傾斜した状態でつれ回り要素がねじ要素内に配置されるように、ねじ要素の内側チャネルがその軸方向に沿って少なくとも部分的にテーパが付けられていることが好ましい。
【００１０】
締結機構のねじ要素は、必要に応じて形成された内側チャネルを備える。この内側チャネルは、例えば収容するつれ回り要素の面積より大きく形成された内径を有する円筒形を有する。これにより、つれ回り要素がねじ要素内に浮動取り付けされるので、つれ回り要素が、内側チャネル内でねじ要素に対して半径方向にずれることができることが保証される。このようにして、既に前述した固定ねじの不正確な向きを補償することができる。更に他の設計によれば、つれ回り要素の向きが傾斜することによって、固定ねじの不正確な傾斜した向きの補償も可能である。この代替案では、内側チャネルは、円錐形輪郭を有するように少なくとも部分的にテーパが付けられる。つれ回り要素は、円錐形輪郭に追従して、固定ねじの不正確な向きを補償することができ、それにより、締結機構の取り付けを単純化することもできる。
【００１１】
つれ回り要素は、つれ回り要素とねじ要素を回転方向に固定して接続できるように、ねじ要素のくぼみに留めることができる半径方向に突出する少なくとも１個の保持ラグを有することが好ましい。
【００１２】
更に他の実施形態では、つれ回り要素は、収容要素の内側でロックすることができる半径方向外方に延在する少なくとも１個の突出部を有する楕円形移送ロックを有する。この楕円形移送ロックは、一実施形態によれば、楕円形移送ロックに固定ねじを通す際に、半径方向外方に延在する少なくとも１個の突出部を、移送ロックの半径方向内方の変形運動によって収容要素の内側から外すことができるように形成される。従って、移送ロックの楕円形状は、楕円形の小径が固定ねじの直径より小さく、楕円形の大径が固定ねじの直径より大きくなるように固定ねじの直径に適応されている。楕円形移送ロックと固定ねじのこの寸法決めによって、固定ねじは、楕円形移送ロックに挿入される際に、移送ロックを楕円形の小径方向に押し広げ、大径方向に狭め、その結果、移送ロックがほぼ円形に変形する。この変形運動によってロック突起が収容要素の内側から離れ、その結果、つれ回り要素とねじ要素から成る調整要素が、収容要素内で回転することができる。
【００１３】
この締結機構の更に他の設計によれば、つれ回り要素は、互いに反対側に配置され且つつれ回り要素の軸方向に延在する２個のつれ回り帯状部（web）を有し、これらのつれ回り帯状部は、半径方向内方に弾性的に突出して、固定ねじ用の貫通孔を狭める。つれ回り帯状部は、弧状に構成されることが好ましい。これらのつれ回り帯状部は、楕円形移送ロックをつれ回り要素の支持部分に接続する。
【００１４】
既に前述したように、固定ねじは、収容要素のねじにねじ込むことができる。一実施形態によれば、収容要素のこのねじは、収容要素の保持室に挿入することができるナットによって提供される。ナットは、この保持チャンバ内に、例えば締め付けによって固定される。固定ねじへの適応において、ナットと固定ねじはそれぞれ、互いに合致したメートルねじを有することが考えられる。
【００１５】
本発明の更に有利な設計は、以下の説明、図面及び従属クレームから想起される。
【００１６】
本発明の例示的な実施形態は、図を使用してより詳細に説明される。
【図面の簡単な説明】
【００１７】
【図１】固定ねじが無い状態での好ましい締結機構の断面図である。
【図２】固定ねじを有し構成要素ＡとＢの間に取り付けられた好ましい締結機構の断面図である。
【図３ａ】つれ回り要素の斜視図である。
【図３ｂ】つれ回り要素の斜視図である。
【図４ａ】ねじ要素の斜視図である。
【図４ｂ】ねじ要素の斜視図である。
【図５ａ】ねじ要素とつれ回り要素から成る調整要素の斜視図である。
【図５ｂ】ねじ要素とつれ回り要素から成る調整要素の斜視図である。
【図６】締結機構の側面図である。
【図７】図６の線Ａ−Ａに沿った断面図である。
【図８】図６の線Ｂ−Ｂに沿った断面図である。
【図９】つれ回り要素とねじ要素から成る調整要素の下面図である。
【図１０】つれ回り要素とねじ要素から成る調整要素の上面図である。
【図１１】図１０の線Ａ−Ａに沿った断面図である。
【図１２】図１０の線Ｂ−Ｂに沿った断面図である。
【図１３ａ】ナットを有する締結機構の組み立て順序を示す図である。
【図１３ｂ】ナットを有する締結機構の組み立て順序を示す図である。
【図１３ｃ】ナットを有する締結機構の組み立て順序を示す図である。
【図１４ａ】締結機構の構成要素Ａのキーホールへの取り付け順序を示す図である。
【図１４ｂ】締結機構の構成要素Ａのキーホールへの取り付け順序を示す図である。
【図１４ｃ】締結機構の構成要素Ａのキーホールへの取り付け順序を示す図である。
【発明を実施するための形態】
【００１８】
図１に示されたように、締結機構は、収容要素１０と調整要素２０，３０とから成る。収容要素１０と調整要素２０，３０は、第１のねじ対１２，３２によって接続される。第１のねじ対の一方のねじ１２は、収容要素１０の内側にある。他方のねじ３２は、つれ回り要素２０と共に調整要素２０，３０を構成するねじ要素３０の外側にある。
【００１９】
図２は、構成要素ＡとＢの間に取り付けられた締結機構の断面図を示す。固定ねじ４０を締結機構にねじ込むことにより、締結機構は、構成要素ＡとＢの間の間隔Ｓが補償されるまで伸張される。固定ねじ４０を収容要素１０のねじ５２にねじ込む際、調整要素２０，３０は、収容要素１０から外れる方向に移動される。締結機構のこの自動調整動作は、固定ねじ４０のねじ４２と収容要素１０のねじ５２のねじ対が、ねじ対１２，３２のねじと反対方向のピッチを有するという事実に基づく。
【００２０】
収容要素１０のねじ５２は、ナット５０を使用して提供されることが好ましい。ナット５０は、収容要素１０の保持室１６内に配置される。ナット５０は、保持室１６の壁の間、又は、保持帯状部と保持室１６の壁の間のプレス嵌めによって、又は固定ねじ４０への接続によって保持されることが好ましい。本発明の一実施形態によれば、ねじ４２及び５２は、互いに適合されたメートルねじである。先行技術との比較において、メートルねじを有する固定ねじ４０の利点は、メートルねじ接続により、ねじ４２をつれ回り要素２０を通して延長できることにある。その結果、ねじ込み操作中にオペレータが固定ねじ４０に加える圧力が、締結機構の機能に影響を及ぼさなくなる。固定ねじ４０は、締結機構内をナット５０まで延長することができる。この瞬間から、全ての圧力が、ねじ５２を介してナット５０に直接伝わる。
【００２１】
図示されていない更に他の実施形態によれば、セルフカッティングねじ山４２を有する固定ねじ４０を挿入することも好ましい。この固定ねじは、保持室１６の代わりに構成された収容要素１０の端領域の開口内にそれ自体で固定する。
【００２２】
調整要素２０，３０は、ねじ要素３０からなり、その内部室３６内につれ回り要素２０が配置される。つれ回り要素２０は、図３ａ、図３ｂに示されている。つれ回り要素２０は、構成要素Ｂと接触するための支持部分２９を有する。支持部分２９は、構成要素Ｂに突き刺さる構成要素Ｂの方向の隆起部を有する。このようにして、支持部分２９と構成要素Ｂの間が確実にロックされ、それにより締結機構と構成要素Ｂの間の保持が改善される。更に、支持部分２９は、固定ねじ４０が挿入される中央開口を有する。
【００２３】
支持部分２９の下には、少なくとも２個のつれ回り帯状部２４が、つれ回り要素２０の軸方向に延在する。つれ回り帯状部２４は、互いに対向して配置される。更に、これらのつれ回り帯状部２４は円弧状をなし、それにより半径内側方向に弾性的に延在して、固定ねじ４０の貫通領域をつれ回り要素によって狭める。
【００２４】
つれ回り帯状部２４は、支持部分２９と反対端にあるリング状構造体によって互い結合されている。リング状構造体に、半径方向外方に突出する少なくとも１個の保持ラグ２２が配置されている。保持ラグ２２は、ねじ要素３０の対向する内側に設けられた、それに適合したくぼみ３４に嵌る。保持ラグ２２がくぼみ３４内に留まるので、つれ回り要素２０とねじ要素３０が回転方向に固定された状態で接続される。好ましくは２個の保持ラグ２２は、つれ回り帯状部２４に対して９０°ずれて配置される。
【００２５】
つれ回り要素２０をねじ要素３０により容易で位置的に正確に挿入できるようにするために、ねじ要素３０の内側に、保持ラグ２２用のガイド溝３８が形成されている。つれ回り要素２０が、ねじ要素３０に挿入されるとき、保持ラグ２２はガイド溝３８に沿って摺動し、次にくぼみ３４内に留まる。これは、図８、図９、図１１及び図１２に示されている。
【００２６】
ねじ要素３０の内側チャネル３６は、つれ回り要素２０の内側チャネル３６内に収容される部分より大きい直径を有する。同じように、くぼみ３４は、収容する保持ラグ２２より横方向に大きく構成され、それにより保持ラグ２２をくぼみ３４に入れることができる。内側チャネル３６とくぼみ３４の寸法がつれ回り要素２０より大きいので、つれ回り要素２０がねじ要素３０に浮動取り付けされる。これにより、固定ねじ４０を挿入する際、固定ねじ４０の位置ずれを補償するために、つれ回り要素２０をねじ要素３０内で半径方向、従って横方向に浮動可能に配置することができる。図６の線Ｂ−Ｂに沿った断面である図８において、つれ回り要素２０が中心からずれて配置されているのにもかかわらず、固定ねじ４０を設置できることが保証されることが分かる。
【００２７】
図示されていない更に他の実施形態によれば、内側チャネル３６は、図４ａと図４ｂの円筒形状の代わりに、少なくとも部分的に円錐形状を有する。円錐形状は、内側チャネル３６の最大径を有する部分が、つれ回り要素２０の支持部分２９と隣接するように変化する。内側チャネル３６の円錐形状により、つれ回り要素２０のねじ要素３０内での傾斜が保証される。そのようにして、ねじ要素３０内でつれ回り要素２０をねじ要素３０の長手軸に対してその軸を傾けて配置することができる。この目的のため、内側チャネル３６は、例えば、支持部分２９からくぼみ３４の近くの端まで円錐形のテーパを有する。また、内側チャネル３６を、内側チャネル３６の両端から内側チャネルの中心近傍の点に向かう方向にテーパを有するダブルコーンとして構成することも考えられる。
【００２８】
前述の構造を使用して、ねじ要素３０内のつれ回り要素２０の浮動構成が実現され、それにより、つれ回り要素２０は、ねじ要素３０に対して横方向にずれることができように及び／又は軸を傾斜できるように配置される。
【００２９】
更に他の好ましい実施形態によれば、締結機構は、移送ロック２６を有する。移送ロック２６は、予備組み立て状態の締結機構の緩みを防ぐ。移送ロック２６は、つれ回り要素２０のリング状構造体の隣りに配置される。移送ロック２６は、楕円形リング２６によって構成され、この楕円形リング２６は、つれ回り要素２０のリング状構造体に帯状部によって固定されることが好ましい。
【００３０】
楕円形移送ロック２６は、大きい直径の部分と小さい直径の部分を有する。楕円形移送ロック２６は、小さい方の直径が固定ねじ４０の直径より小さく且つ大きい方の直径が固定ねじ４０の直径より大きくなるように寸法が決められている。この寸法決めにより、固定ねじをつれ回り要素２０にねじ込む際に、楕円形移送ロック２６が拡張される。小さな直径の部分のこの拡張は、大きな直径の部分を犠牲にして行われ、その結果、固定ねじ４０がねじ込まれた後、楕円形移送ロック２６は、ほぼ円形を有することになる。
【００３１】
移送ロック２６の大きい直径の部分に、少なくとも１個の半径方向外方に延在する突出部２８が配置されている。移送ロックを作成するために、突出部２８は、収容要素１０の内側にある溝、窓又はくぼみ１４内に嵌る。固定ねじ４０が、楕円形移送ロック２６にねじ込まれた場合、小径側の部分が拡張され、同時に大径側の部分の直径が縮小される。これにより、大径側の部分が半径方向内側に変形し、その結果、少なくとも１個の突出部２８が、チャネル１４内でのロックから解除される。これが行われた後で、固定ねじ４０を回転させることによって調整要素２０，３０を変位させることができる。
【００３２】
また、楕円形移送ロック２６をチャネル１４によって外部から緩めることが考えられる。収容要素１０内を貫通するチャネル１４を介して、突出部２８を外部から操作でき、突出部２８を半径方向内側に押すことができる。これは、例えば、突出部２８に合致した工具によって行うことができる。この手順により、固定ねじ４０を使用して突出部２８のロックを解除する必要がなくなる。
【００３３】
図１３ａ〜図１３ｃは、事前に取り付けられた状態での固定要素の作成を示す。この目的のために、ナット５０は、保持室１６に挿入される。その後で、調整要素２０及び３０が、楕円形移送ロック２６によって収容要素１０内に保持されるまで、調整要素２０及び３０が収容要素１０にねじ込まれる。この段階が完了した後、図１３ｃに示されたような事前に組み付けられた締結機構が利用可能になる。
【００３４】
構成要素Ａ及びＢは、好ましくはプラスチックから成る。構成要素Ａは、例えばガラス繊維強化ＰＰからなり、一方、構成要素Ｂは、より柔軟なプラスチック、例えば滑石含有ＰＰから成る。また、構成要素Ａを金属又は別の材料から作成することが好ましい。図１４ａで分かるように、構成要素Ａは、収容要素１０を収容し固定することができるキーホール９０を有する。キーホール９０は、第１のラジアル平面内において収容要素１０の輪郭とほぼ相補的に構成される。例えば、第１のラジアル平面内に２個の保持突出部１９がある。異なる数の保持突出部１９が設けられている場合は、収容要素１０をキーホール９０に確実に挿入することができるように、キーホール９０の形状は、保持突出部１９の数に従って適合される。更に、キーホール９０の内径は、収容要素１０の上側フランジ又は上縁の外径より小さく、それにより、収容要素１０を構成要素Ａ内に確実にロックされた状態で保持することができる。
【００３５】
収容要素１０をキーホール９０に適切に位置合わせした状態で挿入した後、構成要素Ａの上にばね要素１７と収容要素１０のフランジが配置され、構成要素Ａの下に保持突出部１９が配置される。収容要素１０が、構成要素Ａの方向に押され、次にその長手軸のまわりに回転されると、保持突出部１９は、挿入用の開口９３から遠ざかる。この回転により、構成要素Ａと収容要素１０の間に確実なロック接続ができる。
【００３６】
図１４ａで分かるように、ばね要素１７と保持突出部１９は、周囲に互いに９０°ずれて配置される。構成要素Ａに応じて実施できる他の角度配置も考えられる。、図１４ｂに示されたように保持突出部１９が開口９３と位置合わせされた状態で収容要素１０をキーホール９０に挿入した後で、収容要素１０はその長手軸のまわりに回転される。収容要素１０は、その長手軸のまわりに９０度回転されることが好ましく、その結果、構成要素Ａの表面によって予め押圧されたばね要素１７が、開口９３にパチンと嵌まる（図１４ｃを参照）。また、構成要素Ａの表面に、保持突出部１９の挿入開口９３と同一でないくぼみ又はロック開口を設けることもできる。この場合、くぼみ又はロック開口（図示せず）は、保持突出部１９を挿入するためではなく、ばね要素１７のロック／スナップ嵌めのためにのみ働く。
【００３７】
ばね要素１７は、図１４ｃに、ロック状態で示されている。この状態で、構成要素Ａは、収容要素１０のフランジと保持突出部１９の間で留められ、それにより、構成要素Ａと収容要素１０の間に確実で強制的なロック接続ができる。
【００３８】
以上の説明をまとめると、構成要素Ａ内への収容要素の挿入と固定は、ａ）キーホール９０と収容要素１０を互いに位置合わせする段階と、ｂ）収容要素１０をキーホール９０に挿入する段階と、ｃ）収容要素１０をその長手軸のまわりに回転させ、それより構成要素Ａがフランジと保持突出部１９の間に保持されるようにする段階とによって説明することができる。同様に、収容要素１０の取り外しは、ａ）収容要素１０をその長手軸のまわりに回転させ、それによりロックばね要素１７を取り外す段階と、ｂ）収容要素１０をキーホール９０に位置合わせする段階と、ｃ）収容要素１０をキーホール９０から取り外す段階とによって要約することができる。
【図１】
0005393787.tif 000002
【図２】
0005393787.tif 000003
【図３ａ】
0005393787.tif 000004
【図３ｂ】
0005393787.tif 000005
【図４ａ】
0005393787.tif 000006
【図４ｂ】
0005393787.tif 000007
【図５ａ】
0005393787.tif 000008
【図５ｂ】
0005393787.tif 000009
【図６】
0005393787.tif 000010
【図７】
0005393787.tif 000011
【図８】
0005393787.tif 000012
【図９】
0005393787.tif 000013
【図１０】
0005393787.tif 000014
【図１１】
0005393787.tif 000015
【図１２】
0005393787.tif 000016
【図１３ａ】
0005393787.tif 000017
【図１３ｂ】
0005393787.tif 000018
【図１３ｃ】
0005393787.tif 000019
【図１４ａ】
0005393787.tif 000020
【図１４ｂ】
0005393787.tif 000021
【図１４ｃ】
0005393787.tif 000022